(57)【特許請求の範囲】
【請求項１】
フロント部の両側にツルを備えたメガネフレームにおいて、ツルは上記フロント部側に設けた第1継手部の他に、第2継手部と第3継手部を有して該ツルを３分割することでフロント部側から第1ツル片、第2ツル片、及び第3ツル片を上記各継手部を介して屈曲出来るように連結し、上記第1ツル片は第1継手部を介してフロント部の背面側に屈曲して折畳まれ、上記第2ツル片は第2継手部を介して第1ツル片の先端から下方へ延び、そして上記第3ツル片は第3継手部を介して第2ツル片の先端からフロント部を越えて正面側へ水平に延びることが出来るように構成したことを特徴とするメガネフレーム。
【発明の詳細な説明】
【技術分野】
【０００１】
本発明はフロント部がテーブル面に接することなく、該テーブル面から所定の高さで起立することが出来るメガネフレームに関するものである。
【背景技術】
【０００２】
メガネフレームはレンズが嵌るフロント部と該フロント部の両側に折畳み出来るように取付けられるツルから成っている。
図４は従来の一般的な樹脂製のメガネフレームを表している具体例であり、（イ）はフロント部、（ロ）、（ロ）はツルを示している。金属製のメガネフレームであっても、基本的な形態は同図に示す樹脂製メガネフレームの場合と同じである。
【０００３】
上記図４に示すメガネフレームでは、そのフロント部（イ）はレンズが嵌る両リム（ハ）、（ハ）が連結部（ニ）にて繋がれて、左右対称と成っている。そして、連結部（ニ）の下側にはリム（ハ）、（ハ）に沿って、鼻当てパット（ホ）、（ホ）が形成されている。
フロント部（イ）の両側にはヨロイ部（ヘ）、（ヘ）がリム（ハ）、（ハ）と連続して形成され、該ヨロイ部（ヘ）、（ヘ）には継手（ト）、（ト）を介してツル（ロ）、（ロ）が折り畳み出来るように取付けられている。
ここで、樹脂製のフロント部（イ）は上記リム（ハ）、（ハ）、連結部（ニ）、鼻当てパット（ホ）、（ホ）、そしてヨロイ部（ヘ）、（ヘ）が一体的に成形されている。
【０００４】
図５は２本のツル（ロ）、（ロ）が折畳まれた状態を示した場合で、折畳まれたツル（ロ）、（ロ）はフロント部（イ）の背面側に位置している。すなわち、メガネを顔から外した場合、ツル（ロ）、（ロ）は同図に示すように折畳まれた状態でテーブル面に置かれ、又はケースに収容されて携帯することが出来る。
【０００５】
メガネフレームとしての一般的な形態はフロント部側に設けている継手部を介してツルは折畳まれる。勿論、携帯用としてよりコンパクト化してケースに収納することが出来るように、ツルのみならずフロント部も2つ折りすることが出来るように構成したメガネフレームが知られている。
【０００６】
例えば、特開２００２−３２８３４１号に係る「折り畳み式眼鏡フレーム」は、携帯時にはスリムでコンパクトに且つ安定に、まとまるように折り畳みが可能になる折り畳み式眼鏡フレームである。
そこで、レンズを装着する一対のレンズ枠と該レンズ枠が近接する部分同士を連結するブリッジと、レンズ枠の端部に蝶番を介して取付けられたテンプルとを備えて成る眼鏡フレームであり、ブリッジの両端と左右レンズ枠との間に折り畳み用蝶番を介在させるとともに、左右テンプルの略中間位置部分に折り畳み用蝶番を設けて折り畳みを可能にし、テンプル部のヨロイ側の基端とモダンの突端側に磁石を対向してはめ込み、テンプル部が略中間位置部分で折り畳み時に磁力により吸引着接されスリムで一体感を感じさせるように構成している。
【０００７】
特開平１１−１３３３６０号に係る「折り畳み式の眼鏡」は、成形が簡単で製作コストを低廉となし得る折り畳み式の眼鏡である。
すなわち、左右一対のレンズ部を折り重ねると共に両つるを二重に折り畳んで全体に小さくコンパクト化した眼鏡であり、前記レンズ部を枠無しレンズとし、両枠無しレンズの中央に設けられる鼻当て部とつるの前端部を軸支するための軸承部とを前記枠無しレンズと共に合成樹脂により一体に形成している。
【特許文献１】特開２００２−３２８３４１号に係る「折り畳み式眼鏡フレーム」
【特許文献２】特開平１１−１３３３６０号に係る「折り畳み式の眼鏡」
【発明の開示】
【発明が解決しようとする課題】
【０００８】
このように、従来の一般的なメガネフレーム、すなわち金属製であっても、樹脂製であっても、前記図５に示すようにツルはフロント部の背面に重なり合って折畳まれる。
本発明はツルの折畳み形態を変え、ツルを折畳むことでフロント部を支えて起立することが出来るメガネフレームを提供する。
【課題を解決するための手段】
【０００９】
本発明に係るメガネフレームはフロント部の両側にツルが折畳み出来るように取付けられている。この基本的な形態は従来の一般的なメガネフレームと同じであるが、本発明のメガネフレームでは、ツルの途中２か所に継手部を設けて屈曲することが出来るように構成している。すなわち、フロント部との間に設けている第１継手部の他に、第２継手部と第３継手部を備えている。
【００１０】
そして、上記第１継手部の第１軸は従来のメガネフレームと同じようにフロント部とほぼ平行を成し、第２継手部の第２軸はフロント部に対してほぼ垂直とし、さらに第３継手部の第３軸はフロント部とほぼ平行と成っている。
そこで、ツルは第１ツル片、第２ツル片、及び第３ツル片に各継手部にて分割され、そしてこれら各ツル片は上記第１継手部、第２継手部、及び第３継手部を介して屈曲することが出来るように成っている。
【００１１】
第１継手部を介して屈曲する第１ツル片はフロント部の背面側に屈曲して折畳まれ、第２ツル片は第２継手部を介して屈曲して下方へ向いて延び、そして、第３ツル片は第３継手部を介して屈曲して水平をなし、正面側へ延びることが出来る。正面側へ延びる第３ツル片はフロント部を越えて延びることが出来、その為に、屈曲して水平になった第３ツル片がテーブル面に載ってメガネフレーム全体が起立し、フトント部は所定の高さに支持される。
勿論、第２継手部及び第３継手部にて第２ツル片及び第３ツル片が屈曲しない場合には、従来のメガネフレームのツルと同じように両ツルはフロント部の背面側に折畳まれる。
【発明の効果】
【００１２】
本発明に係るメガネフレームは、そのツルを第１ツル片、第２ツル片、及び第３ツル片で構成し、各ツル片は継手部を介して屈曲することが出来る。すなわち、フロント部の背面側に該フロント部に沿って折畳まれた第１ツル片に対して、第２ツル片は下方へ延び、ほぼ垂直に起立する第２ツル片に対して、第３ツル片は屈曲して水平を成している。
そして、第３ツル片はフロント部の正面側へ延びることでフロント部を支えて起立することが出来る。
【００１３】
このように、ツルを構成する第２ツル片及び第３ツル片を第２継手部及び第３継手部を介して屈曲することは自由であるが、第２ツル片及び第３ツル片を屈曲することなく、従来の一般的なツルと同じように延ばしたままで折畳み操作することも出来る。
【図面の簡単な説明】
【００１４】
【図１】本発明のメガネフレームを示す実施例。
【図２】図１に示すメガネフレームのツルを折り曲げて起立した場合で、正面側から見た斜視図。
【図３】図１に示すメガネフレームのツルを折り曲げて起立した場合で、背面側から見た斜視図。
【図４】従来の一般的なメガネフレームで、ツルが延びている場合。
【図５】従来の一般的なメガネフレームで、ツルが折畳まれている場合。
【発明を実施するための形態】
【００１５】
図１は本発明に係るメガネフレームを示す実施例であり、樹脂製のメガネフレームとしている。基本的な形態は上記図４に示すメガネフレームと同じであり、フロント部１の両側にはツル２，２が取付けられて、後方へ延びている。フロント部１は連結部３を中心として両リム４，４を左右対称に形成し、該フロント部１の両側にはヨロイ部５，５を一体的に形成している。
【００１６】
そして、上記ツル２，２はヨロイ部５，５に取付けられているが、第１継手部６，６を介して折畳み出来るようにしている。従来のメガネフレームのツルはこの第１継手部６，６を有しているのみであるが、本発明ではこの他に第２継手部７、第３継手部８を有している。すなわち、上記第２継手部７及び第３継手部８を介してツル２は途中で屈曲することが出来る構造としている。ただし、図１に示すようにツル２，２が延びている状態では、ツル先端部を外方向へ押圧しても上記第２継手部７及び第３継手部８にて該ツル２が屈曲することはない。
【００１７】
ところで、ツル２は上記第１継手部６、第２継手部７、及び第３継手部８を設けたことで３分割され、第１ツル片９、第２ツル片１０、第３ツル片１１が上記各継手部６，７，８を介して連結した構造と成っている。同図に示すメガネフレームは樹脂製である為に、上記第２継手部７及び第３継手部８はツル２の内部に埋着され、外観上はこれら継手部７，８を持たない一般的なツルであるように見える。
【００１８】
図２、図３は上記ツル２，２が、第１継手部６、第２継手部７、及び第３継手部８を介して屈曲し、メガネフレームが起立した状態を示している。ここで、図２は正面側からの斜視図を、図３は背面側からの斜視図をそれぞれ表している。
このように、ツル２，２が屈曲することで該フロント部１はテーブル面から所定の高さに支持されてメガネフレームは起立することが出来る。
【００１９】
第１ツル片９は第１継手部６を介して折畳まれ、フロント部１の背面に近接して折畳まれ、第２ツル片１０は第２継手部７を介して屈曲して下方へ延びている。そして、第３ツル片１１は第３継手部８を介して屈曲し水平に延びている。しかも、第３ツル片１１はフロント部１の背面側に位置する第２ツル片１０の下端から水平に正面側へフロント部１を越えて延びている。
したがって、メガネフレーム全体としてはバランスが保たれて転倒しないように支持される。
【００２０】
ところで、前記図１、図２、図３に示す実施例で説明したメガネフレームは樹脂製フレームであるが、金属製のフレームとすることも可能である。そして、フロント部１の形態として、同図のようなレンズが嵌るフルリムではなく、水糸を組み合せたハーフリム形態、又はリムを用いないでレンズを直接中央の連結部材にネジ止めして構成する縁なしメガネとすることも出来る。
【００２１】
本発明のメガネフレームは、前記図２、図３に示すように、他に何の支え無くして起立することが出来る。したがってメガネの販売店においては、このように起立した状態で展示棚に配置することが出来る。しかも起立することが出来るメガネフレームは従来に存在しない形態であることから、店を訪れた客の目に留まることになる。
【符号の説明】
【００２２】
１ フロント部
２ ツル
３ 連結部
４ リム
５ ヨロイ部
６ 第１継手部
７ 第２継手部
８ 第３継手部
９ 第１ツル片
10 第２ツル片
11 第３ツル片
【図１】
0006403585.tif 000002
【図２】
0006403585.tif 000003
【図３】
0006403585.tif 000004
【図４】
0006403585.tif 000005
【図５】
0006403585.tif 000006